【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
オゾン化空気と流体との混合物を供給するディスペンサーであって、
空気からオゾンを生成してオゾン化空気を形成するオゾン生成装置、前記流体を収容する流体収容リザーバ、液体ポンプ、空気ポンプ、及び混合装置を備え、
前記空気ポンプはピストンポンプを有し、
前記ピストンポンプはピストン形成部材を有し、
前記ピストン形成部材はピストンチャンバ形成部材内で同軸的に往復可能であり、
前記ピストン形成部材と前記ピストンチャンバ形成部材との間には空気コンパートメントが形成されており、
前記ピストン形成部材は、一稼働サイクルで収縮位置と伸長位置との間でピストンチャンバ形成部材に対して往復可能であり、
前記空気コンパートメントは、最小容積から最大容積まで容積可変であり、
前記空気コンパートメントの容積は、ピストン形成部材が収縮位置と伸長位置との間の第一位置にあるときに最大となり、ピストン形成部材が収縮位置と伸長位置との間の前記第一位置とは異なる第二位置にあるときに最小となり、
前記ピストン形成部材は、オゾン生成装置から空気コンパートメントにオゾン化空気を取り込み、空気コンパートメントからオゾン化空気を放出する一稼働サイクルにおいて、ハウジングに対して移動可能であり、
前記液体ポンプは、リザーバから流体を取り込み、また流体を放出するよう作動し、
前記混合装置は、空気コンパートメントから放出されたオゾン化空気と液体ポンプから放出された流体とを同時に通過させて、放出口から放出される流体とオゾン化空気との混合物を生成し、
空気ポンプの動作は、連続する稼働サイクル間にピストン形成部材の移動しない静止期間が設けられることで制御される
ことを特徴とするディスペンサー。
【請求項２】
前記静止期間中、前記ピストン形成部材は第二位置で保持される
請求項１に記載のディスペンサー。
【請求項３】
第二位置から第一位置への運動をオゾン充填行程とし、第一位置から第二位置への運動をオゾン放出行程とし、
空気ポンプの各サイクルで必要な量のオゾンを、該稼働サイクル中、及び該サイクルの直前にある静止期間の一部において実質的に生成するようオゾン生成装置の動作を制御する
請求項１又は２に記載のディスペンサー。
【請求項４】
空気ポンプの各稼働サイクルで必要な量のオゾンを、オゾン充填行程中、及び該オゾン充填行程の直前にある静止期間の一部においてオゾン生成装置で実質的に生成する
請求項３に記載のディスペンサー。
【請求項５】
稼働サイクル前の静止期間において、オゾン生成装置がオゾン生成を開始することを含む
請求項３又は４に記載のディスペンサー。
【請求項６】
空気ポンプの各稼働サイクルで必要な量のオゾンを、
（ａ）各稼働サイクル中、及び
（ｂ）オゾン充填行程中
から選択される期間にオゾン生成装置で実質的に生成する
請求項３、４、又は５に記載のディスペンサー。
【請求項７】
充填行程が始まる前にオゾン生成を開始するようオゾン生成装置の動作を制御する
請求項３〜６のいずれか１項に記載のディスペンサー。
【請求項８】
空気ポンプの一稼働サイクルにおいて、オゾン充填行程の期間がオゾン放出行程の期間より長くなるようピストン形成部材の動きを制御する
請求項３〜７のいずれか１項に記載のディスペンサー。
【請求項９】
前記液体ポンプはピストンポンプであり、
前記液体ポンプのピストン部材は、前記空気ポンプのピストン形成部材の動きに合わせて往復可能であり、
前記液体ポンプは、流体を空気コンパートメントに放出し、
前記液体ポンプは、オゾン放出行程において空気ポンプと同調して流体を空気コンパートメントへ放出するか、あるいはオゾン放出行程において空気ポンプと同調しないで流体を空気コンパートメントへ放出する
請求項３〜８のいずれか１項に記載のディスペンサー。
【請求項１０】
前記ピストン形成部材と前記ピストンチャンバ形成部材との間には、液体ポンプ用の液体コンパートメントが形成される
請求項９に記載のディスペンサー。
【請求項１１】
前記オゾン生成装置はコロナ放電発電装置を有する
請求項１〜１０のいずれか１項に記載のディスペンサー。
【請求項１２】
前記ディスペンサーは、流体とオゾン化空気との混合物を放出口から使用者の手に放出、供給する手洗い洗剤ディスペンサーであって、
前記ディスペンサーは、ディスペンサーに近づいた使用者を検知する第一センサと、使用者の手が放出口の真下にあることを検知する第二センサとを備え、
前記第一センサは、使用者の手が放出口の下にあることを前記第二センサが検知する前に、使用者を検知するよう適合されており、
第一センサが使用者を検知すると、オゾン生成装置がオゾン生成を開始する
請求項１〜１１のいずれか１項に記載のディスペンサー。
【請求項１３】
前記オゾン生成装置はオゾン生成チャンバを有し、
前記オゾン生成チャンバは、空気源と連通した空気流入口、及び放出口を有し、
オゾン生成装置は、オゾン生成チャンバにおいて、オゾン生成チャンバ内にある空気中の酸素をオゾンに変換してオゾン化空気を生成することで、オゾン生成チャンバにおいて、オゾン生成チャンバ内の空気からオゾンを生成し、
前記オゾン生成チャンバの放出口は、空気コンパートメントのオゾン流入口へ連通している
請求項１〜１２のいずれか１項に記載のディスペンサー。
【請求項１４】
前記オゾン生成チャンバと前記空気コンパートメントとの間には、流体をオゾン生成チャンバから空気コンパートメントへ流し、空気コンパートメントからオゾン生成チャンバへは流さない一方向オゾン放出バルブを有し、
空気流入口には、空気をオゾン生成チャンバへ流し、オゾン生成チャンバからは流さない一方向空気流入バルブを有する
請求項１３に記載のディスペンサー。
【請求項１５】
前記流体はフォーム化できるものであり、
前記ディスペンサーはオゾン含有フォームを供給し、
前記混合装置はフォーム発生装置を有し、
該フォーム発生装置は、空気コンパートメントから放出されたオゾン化空気と液体ポンプから放出された流体とを同時に通過させて、放出口から放出されるフォームを生成する、
請求項１〜１３のいずれか１項に記載のディスペンサー。
【請求項１６】
空気乾燥部材を更に有しており、
前記空気乾燥部材は、空気流入口へ取り込まれた空気がオゾン生成チャンバへ入る前に通過するよう設置されている
請求項１〜１５のいずれか１項に記載のディスペンサー。
【請求項１７】
前記リザーバと前記空気乾燥部材とは着脱交換可能なモジュール式カートリッジとして設置されており、
前記カートリッジはディスペンサーの残りの部分と着脱可能に連結されており、取り外して同様のモジュール式カートリッジと交換できる
請求項１６に記載のディスペンサー。
【請求項１８】
前記液体ポンプは、着脱交換可能なカートリッジの一部を構成し、リザーバの放出口と接続されている
請求項１７に記載のディスペンサー。
【請求項１９】
前記空気ポンプは、着脱交換可能なカートリッジの一部を構成する
請求項１８に記載のディスペンサー。
【請求項２０】
前記カートリッジがディスペンサーの残り部分に対して直線方向に移動することで、前記空気乾燥部材は前記オゾン生成チャンバの空気流入口と連結され、
前記液体ポンプのピストン形成部材は、ディスペンサーの残り部分に配置されたアクチュエータと連結され、
前記アクチュエータは、液体ポンプのピストン形成部材を動かす
請求項１９に記載のディスペンサー。